(57)【要約】  無線デバイス（１４Ａ）は、無線通信システム（１０）でランダムアクセスを行うために用いられるよう構成される。無線デバイス（１４Ａ）は、非アンカーキャリア上でのランダムアクセスをサポートする。無線デバイス（１４Ａ）は、キャリアの集合（１６）のなかのどのキャリアに対して無線デバイス（１４Ａ）がランダムアクセスを行うべきかを支配する設定情報（２０）を送信するよう構成され、キャリアの集合（１６）がアンカーキャリア（１４Ａ）と非アンカーキャリアとを含む。設定情報（２０）は、例えば、集合（１６）内のキャリアのうちのひとつ以上のそれぞれに割り当てられた確率値を示してもよい。いずれにせよ、無線デバイス（１４Ａ）は、設定情報（２０）にしたがって、集合（１６）のキャリアのなかから、ランダムアクセスを行う対象のキャリアを選択するよう構成される。無線デバイス（１４Ａ）は、選択されたキャリア上でランダムアクセスを実行するよう構成される。【選択図】図１
2019525582.tif 000002
【特許請求の範囲】
【請求項１】
無線通信システム（１０）の無線デバイス（１４Ａ）によって行われる、ランダムアクセスを行うための方法であって、前記無線デバイス（１４Ａ）が非アンカーキャリア上でのランダムアクセスをサポートし、前記方法は、
キャリアの集合（１６）のなかのどのキャリアに対して前記無線デバイス（１４Ａ）がランダムアクセスを行うべきかを支配する設定情報（２０）を取得すること（２１０）であって、キャリアの前記集合（１６）がアンカーキャリア（１４Ａ）とひとつ以上の非アンカーキャリア（１４Ｂ）とを含み、前記設定情報（２０）が前記集合（１６）内の前記キャリアのうちのひとつ以上のそれぞれに割り当てられた確率値（２０Ａ）を示す、取得すること（２１０）と、
前記設定情報（２０）にしたがって、前記集合（１６）の前記キャリアのなかから、ランダムアクセスを行う対象のキャリアを選択すること（２２０）と、
前記選択されたキャリア上でランダムアクセスを実行すること（２３０）と、を含む方法。
【請求項２】
前記選択することが、前記設定情報（２０）にしたがい前記キャリアに割り当てられた確率値を用いて、前記集合（１６）内の前記キャリアから前記キャリアをランダムに選択することを含む請求項１に記載の方法。
【請求項３】
前記設定情報（２０）から前記確率値のうちのひとつ以上を算出することをさらに含む請求項２に記載の方法。
【請求項４】
前記取得することが、システム情報報知を介して前記設定情報（２０）を受信することを含む請求項１から３のいずれか一項に記載の方法。
【請求項５】
前記選択することが、値をランダムに引き、そのランダムに引かれた値を、前記集合（１６）内の前記キャリアのうちの少なくともひとつに割り当てられた前記確率値（２０Ａ）と比較することを含む請求項１から４のいずれか一項に記載の方法。
【請求項６】
ランダムアクセスを行う対象のキャリアを選択することが、前記集合（１６）内の異なる前記キャリア上の異なるランダムアクセス無線リソースのなかから、ランダムアクセス無線リソースを選択することを含み、
前記実行することが、前記選択されたランダムアクセス無線リソース上でランダムアクセスを実行することを含む請求項１から５のいずれか一項に記載の方法。
【請求項７】
無線通信システム（１０）での用に供されるよう構成されたネットワークノード（１２）によって実行される方法であって、前記方法は、
非アンカーキャリア上でのランダムアクセスをサポートする無線デバイス（１４Ａ）に対して、キャリアの集合（１６）のなかのどのキャリアに対して前記無線デバイス（１４Ａ）がランダムアクセスを行うべきかを支配する設定情報（２０）を送信すること（１１０）であって、キャリアの前記集合（１６）がアンカーキャリア（１４Ａ）とひとつ以上の非アンカーキャリア（１４Ｂ）とを含み、前記設定情報（２０）が前記集合（１６）内の前記キャリアのうちのひとつ以上のそれぞれに割り当てられた確率値（２０Ａ）を示す、送信すること（１１０）、を含む方法。
【請求項８】
前記設定情報（２０）にしたがって前記集合（１６）内のキャリアに確率値が割り当てられ、その確率値は前記無線デバイス（１４Ａ）によって、ランダムアクセスを行う対象のキャリアをランダムに選択する際に用いられる請求項７に記載の方法。
【請求項９】
前記送信することが、システム情報として前記設定情報（２０）を報知することを含む請求項７または８に記載の方法。
【請求項１０】
前記アンカーキャリア（１４Ａ）に割り当てられた確率値（２０Ａ）が非アンカーキャリアに割り当てられた確率値（２０Ａ）とは異なるように設定可能である請求項１から９のいずれか一項に記載の方法。
【請求項１１】
非アンカーキャリア（１４Ｂ）に割り当てられた確率値がそれぞれ等しくなるよう設定可能である請求項１から１０のいずれか一項に記載の方法。
【請求項１２】
非アンカーキャリア（１４Ｂ）に割り当てられた確率値がそれぞれ等しい請求項１から１１のいずれか一項に記載の方法。
【請求項１３】
前記無線デバイス（１４Ａ）のカバレッジ強化レベルのために、前記集合（１６）内の異なるキャリアに対して異なるランダムアクセス無線リソースが定義される請求項１から１２のいずれか一項に記載の方法。
【請求項１４】
前記集合（１６）内の前記キャリアがアップリンクキャリアである請求項１から１３のいずれか一項に記載の方法。
【請求項１５】
前記無線通信システム（１０）が狭帯域物のインターネット化、ＮＢ−ＩｏＴ、システムである請求項１から１４のいずれか一項に記載の方法。
【請求項１６】
無線通信システム（１０）でランダムアクセスを行うために用いられるよう構成された無線デバイス（１４Ａ）であって、前記無線デバイス（１４Ａ）が非アンカーキャリア上でのランダムアクセスをサポートし、前記無線デバイス（１４Ａ）は、
キャリアの集合（１６）のなかのどのキャリアに対して前記無線デバイス（１４Ａ）がランダムアクセスを行うべきかを支配する設定情報（２０）を取得することであって、キャリアの前記集合（１６）がアンカーキャリア（１４Ａ）とひとつ以上の非アンカーキャリア（１４Ｂ）とを含み、前記設定情報（２０）が前記集合（１６）内の前記キャリアのうちのひとつ以上のそれぞれに割り当てられた確率値（２０Ａ）を示す、取得することと、
前記設定情報（２０）にしたがって、前記集合（１６）の前記キャリアのなかから、ランダムアクセスを行う対象のキャリアを選択することと、
前記選択されたキャリア上でランダムアクセスを実行することと、を行うよう構成される無線デバイス（１４Ａ）。
【請求項１７】
請求項２から６、１０から１５のいずれか一項に記載の方法を実行するよう構成された請求項１６に記載の無線デバイス。
【請求項１８】
無線通信システム（１０）でランダムアクセスを行うために用いられるよう構成された無線デバイス（１４Ａ）であって、前記無線デバイス（１４Ａ）が非アンカーキャリア上でのランダムアクセスをサポートし、前記無線デバイス（１４Ａ）は、処理回路（６１０）とメモリ（６２０）とを備え、
前記メモリ（６２０）が前記処理回路（６１０）によって実行可能なインストラクションを含み、それによって前記無線デバイス（１４Ａ）は、
キャリアの集合（１６）のなかのどのキャリアに対して前記無線デバイス（１４Ａ）がランダムアクセスを行うべきかを支配する設定情報（２０）を取得することであって、キャリアの前記集合（１６）がアンカーキャリア（１４Ａ）とひとつ以上の非アンカーキャリア（１４Ｂ）とを含み、前記設定情報（２０）が前記集合（１６）内の前記キャリアのうちのひとつ以上のそれぞれに割り当てられた確率値（２０Ａ）を示す、取得することと、
前記設定情報（２０）にしたがって、前記集合（１６）の前記キャリアのなかから、ランダムアクセスを行う対象のキャリアを選択することと、
前記選択されたキャリア上でランダムアクセスを実行することと、を行うよう構成される無線デバイス（１４Ａ）。
【請求項１９】
前記メモリ（６２０）は前記処理回路（６１０）によって実行可能なインストラクションであって、それによって前記無線デバイス（１４Ａ）が請求項２から６、１０から１５のいずれか一項に記載の方法を行うよう構成されるインストラクションを含む請求項１８に記載の無線デバイス。
【請求項２０】
無線通信システム（１０）でランダムアクセスを行うために用いられるよう構成された無線デバイス（１４Ａ）であって、前記無線デバイス（１４Ａ）が非アンカーキャリア上でのランダムアクセスをサポートし、前記無線デバイス（１４Ａ）は、
キャリアの集合（１６）のなかのどのキャリアに対して前記無線デバイス（１４Ａ）がランダムアクセスを行うべきかを支配する設定情報（２０）を取得するための取得モジュール（７１０）であって、キャリアの前記集合（１６）がアンカーキャリア（１４Ａ）とひとつ以上の非アンカーキャリア（１４Ｂ）とを含み、前記設定情報（２０）が前記集合（１６）内の前記キャリアのうちのひとつ以上のそれぞれに割り当てられた確率値（２０Ａ）を示す、取得モジュール（７１０）と、
前記設定情報（２０）にしたがって、前記集合（１６）の前記キャリアのなかから、ランダムアクセスを行う対象のキャリアを選択するための選択モジュール（７２０）と、
前記選択されたキャリア上でランダムアクセスを実行するためのランダムアクセスモジュール（７３０）と、を備える無線デバイス（１４Ａ）。
【請求項２１】
請求項２から６、１０から１５のいずれか一項に記載の方法を実行するためのひとつ以上のモジュールを備える請求項２０に記載の無線デバイス。
【請求項２２】
無線通信システム（１０）において用いられるよう構成されたネットワークノード（１２）であって、前記ネットワークノード（１２）は、
非アンカーキャリア上でのランダムアクセスをサポートする無線デバイス（１４Ａ）に対して、キャリアの集合（１６）のなかのどのキャリアに対して前記無線デバイス（１４Ａ）がランダムアクセスを行うべきかを支配する設定情報（２０）を送信することであって、キャリアの前記集合（１６）がアンカーキャリア（１４Ａ）とひとつ以上の非アンカーキャリア（１４Ｂ）とを含み、前記設定情報（２０）が前記集合（１６）内の前記キャリアのうちのひとつ以上のそれぞれに割り当てられた確率値（２０Ａ）を示す、送信すること、を行うよう構成されるネットワークノード。
【請求項２３】
請求項８から１５のいずれか一項に記載の方法を実行するよう構成される請求項２２に記載のネットワークノード。
【請求項２４】
無線通信システム（１０）において用いられるよう構成されたネットワークノード（１２）であって、前記ネットワークノード（１２）は、処理回路（５１０）とメモリ（５２０）とを備え、
前記メモリ（５２０）が前記処理回路（５１０）によって実行可能なインストラクションを含み、それによって前記ネットワークノード（１２）は、
非アンカーキャリア上でのランダムアクセスをサポートする無線デバイス（１４Ａ）に対して、キャリアの集合（１６）のなかのどのキャリアに対して前記無線デバイス（１４Ａ）がランダムアクセスを行うべきかを支配する設定情報（２０）を送信することであって、キャリアの前記集合（１６）がアンカーキャリア（１４Ａ）とひとつ以上の非アンカーキャリア（１４Ｂ）とを含み、前記設定情報（２０）が前記集合（１６）内の前記キャリアのうちのひとつ以上のそれぞれに割り当てられた確率値（２０Ａ）を示す、送信すること、を行うよう構成されるネットワークノード（１２）。
【請求項２５】
前記メモリ（５２０）は前記処理回路（５１０）によって実行可能なインストラクションであって、それによって前記ネットワークノード（１２）が請求項８から１５ののいずれか一項に記載の方法を行うよう構成されるインストラクションを含む請求項２４に記載のネットワークノード。
【請求項２６】
無線通信システム（１０）において用いられるよう構成されたネットワークノード（１２）であって、前記ネットワークノード（１２）は、
非アンカーキャリア上でのランダムアクセスをサポートする無線デバイス（１４Ａ）に対して、キャリアの集合（１６）のなかのどのキャリアに対して前記無線デバイス（１４Ａ）がランダムアクセスを行うべきかを支配する設定情報（２０）を送信するための送信モジュール（５４０）であって、キャリアの前記集合（１６）がアンカーキャリア（１４Ａ）とひとつ以上の非アンカーキャリア（１４Ｂ）とを含み、前記設定情報（２０）が前記集合（１６）内の前記キャリアのうちのひとつ以上のそれぞれに割り当てられた確率値（２０Ａ）を示す、送信モジュール（５４０）、を備えるネットワークノード（１２）。
【請求項２７】
請求項８から１５のいずれか一項に記載の方法を実行するよう構成される請求項２６に記載のネットワークノード。
【請求項２８】
インストラクションを備えるコンピュータプログラムであって、該インストラクションは無線デバイス（１４Ａ）の少なくともひとつのプロセッサによって実行された場合、前記無線デバイス（１４Ａ）に請求項１から６、１０から１５のいずれか一項に記載の方法を実行させるコンピュータプログラム。
【請求項２９】
インストラクションを備えるコンピュータプログラムであって、該インストラクションはネットワークノード（１２）の少なくともひとつのプロセッサによって実行された場合、前記ネットワークノード（１２）に請求項８から１５のいずれか一項に記載の方法を実行させるコンピュータプログラム。
【請求項３０】
請求項２８または２９に記載のコンピュータプログラムを含むキャリアであって、前記キャリアは電気信号、光学信号、無線信号、またはコンピュータ可読ストレージ媒体のうちのひとつであるキャリア。
【発明の詳細な説明】
【技術分野】
【０００１】
関連出願
本願は、２０１６年８月１２日に出願された米国特許仮出願第６２／３７４，３０５号、および、２０１６年８月１２日に出願された米国特許仮出願第６２／３７４，７１８号の優先権の利益を享受する。それらの出願のそれぞれの全体は、参照により本明細書に組み入れられる。
【背景技術】
【０００２】
マシンタイプ通信（ＭＴＣ）は、一般に、人間とのやりとりなしで通信を行うデバイス、すなわち、マシンとなるよう作られたデバイス、を指す。ＭＴＣは、物のインターネット化（ＩｏＴ）という、より一般的な議論の一部であり、そこでは、接続されることにより利益を得られうるあらゆるデバイスが接続されることが想定されている。近年の予測では、莫大な数のＭＴＣデバイスが現れるとのことである。狭帯域物のインターネット化（ＮＢ−ＩｏＴ）デバイスなどのこれらのデバイスの多くは、おそらく、かなり動かないものとなるであろう。例えば、そのようなデバイスは自動販売機に設けられたり、さらにはおそらく壁に組み込まれたりするであろう。これらのデバイスは数年動き続け、充電器なしで動作することが意図されている。例えば、既存のロングタームエボリューション（ＬＴＥ）システムに基づくＮＢ−ＩｏＴシステムはネットワークアーキテクチャの最適化および莫大な数のデバイスについての室内カバレッジの改善を解決しようとするが、このＮＢ−ＩｏＴシステムは以下の特性について設計される：低スループットデバイス（例えば、２ｋｂｐｓ）、低遅延感度（−１０秒）、極めて低いデバイスコスト（５ドル以下）、低デバイス消費電力（１０年程度の電池寿命）。
【０００３】
このシステムにおける各セル（〜１ｋｍ２）は、センサやメータやアクチュエータなどの数千ものデバイスを担当することが想定される。例えばモバイル通信用グローバルシステム、ＧＳＭ、用の既存のスペクトルを利用可能とするために、ＮＢ−ＩｏＴ技術について、かなり狭い帯域（１８０ｋＨｚ帯域幅、ひとつのＬＴＥ物理リソースブロック（ＰＲＢ）と同じ）が採用された。
【０００４】
ＮＢ−ＩｏＴの周波数分割複信（ＦＤＤ）モード（すなわち、送信器と受信器とが異なるキャリア周波数で動作する）では、ユーザ装置（ＵＥ）において半二重モードのみがサポートされる必要がある。カバレッジの改善を達成するために、アップリンク（ＵＬ）および／またはダウンリンク（ＤＬ）の両方で、データ繰り返しが用いられる。デバイスのより低い複雑さ（例えば、送信／受信チェーンがただひとつだけ）は、通常カバレッジにおいてもある繰り返しが必要とされうることを意味する。さらに、ＵＥの複雑さを軽減するために、作業仮説は、クロスサブフレームスケジューリングを有することである。すなわち、まず、狭帯域物理ＤＬ制御チャネル（ＮＰＤＣＣＨ）上で送信がスケジュールされ、次いで、ＮＰＤＣＣＨの最後の送信の後に、狭帯域物理ＤＬ共有チャネル（ＮＰＤＳＣＨ）上で実際のデータの最初の送信が実行される。同様に、ＵＬデータ送信について、まず、ネットワークによってスケジュールされ、かつ、ＵＬ送信用にＵＥによって必要とされるリソースについての情報がＮＰＤＣＣＨ上で運ばれ、次いで、ＮＰＤＣＣＨの最後の送信の後に、物理ＵＬ共有チャネル（ＮＰＵＳＣＨ）上でのＵＥによる実際のデータの最初の送信が実行される。言い換えると、上述の両方の場合において、ＵＥの視点からは、制御チャネルの受信とデータチャネルの送受信とが同時に発生することはない。
【０００５】
さらに、ＮＢ−ＩｏＴセルのＤＬにおいて、専用データ通信のために全てのサブフレームが利用可能というわけではない。ＤＬにおいて利用可能なサブフレームの量は、ＮＢ−ＩｏＴが展開されている三つの動作モード（すなわち、スタンドアローン、インバンド、および、ガードバンド）のうちのひとつに依存する。全ての動作モードについて、ＵＥは、以下の利用不可なサブフレーム（またはサブフレームの部分）の周りでレートマッチングを行う必要がある：（ｉ）ＮＢ−ＩｏＴプライマリおよびセカンダリ同期チャネル（ＮＰＳＳおよびＮＳＳＳ）、そこでは、ＮＰＳＳは１０ｍｓの長さを有する個々全ての無線フレームにおいて送信され１０サブフレームからなり、ＮＳＳＳ送信サイクルはサブフレーム番号５において１フレームおきである；（ｉｉ）個々全ての無線フレームにおいてサブフレーム０を占めるマスタ情報ブロック（ＭＩＢ）を含むＮＢ−ＩｏＴ報知チャネル（ＮＰＢＣＨ）；（ｉｉｉ）ＮＰＤＳＣＨ上で報知されるＮＢ−ＩｏＴシステム情報ブロック（例えば、１無線フレームおきのサブフレーム４において報知されるＮＳＩＢ１）；（ｉｖ）設定された場合のＤＬギャップ；（ｖ）ＮＢ−ＩｏＴ参照シンボル（ＮＲＳ）；（ｖｉ）インバンド動作モードの場合、セル特定参照信号（ＣＲＳ）や位置決め参照信号（ＰＲＳ）などのＬＴＥ参照シンボル、およびＬＴＥマルチキャスト−報知単一周波数ネットワーク（ＭＢＳＦＮ）サブフレーム。
【０００６】
半二重通信、クロスサブフレームスケジューリング、低い帯域幅、利用可能なサブフレームの量、および担当すべきＵＥの量というＮＢ−ＩｏＴの特性により、ＮＢ−ＩｏＴは、生来的に、より多くのスペクトルを利用できると動作の効率化の点で利益がある。特に、（例えば、ＬＴＥキャリアが完全に使用されているわけではない低トラフィック時間中のインバンド動作モードにおいて）そのようなスペクトルがすでに利用可能であるとそうである。したがって、３ＧＰＰリリース１３では、ＮＢ−ＩｏＴマルチキャリア動作が採用された。そこでは、ＮＢ−ＩｏＴアンカーキャリアで動作するＵＥは、より高いレイヤシグナリング（レイヤ３無線リソース制御、ＲＲＣ）を通じて、接続中モード動作中にＮＢ−ＩｏＴ非アンカーキャリアで動作するよう構成される。非アンカーキャリアは１００ｋＨｚラスタで展開されるという必要性はないことを注意する、すなわち、任意のＬＴＥインバンドＰＲＢが非アンカーとして利用可能である。接続中モード動作の終わりに、ＵＥは自発的にアンカーキャリアに戻る。
【０００７】
３ＧＰＰリリース１３によると、接続中モードでは、全てのランダムアクセス（ＲＡ）試行はアンカーキャリア上で行われるべきである。ランダムアクセス手順の接続解決（メッセージ４、ＭＳＧ４）の後、ＵＥは自発的にそれを担当していたキャリアに戻るか、またはネットワークがＵＥに明示的な設定を提供することで、ＵＥを、別のキャリアに誘導する。
【０００８】
リリース１４について、このマルチキャリア動作を拡張することが提案されており、リリース１４作業項目目的のうちのひとつによると、リリース１３動作とは異なり、ＵＥはページングを監視すること、および、非アンカーキャリア上でランダムアクセスを行うこと、の両方が可能であるべきである。
【０００９】
ＮＢ−ＩｏＴのリリース１３について、マルチキャリア機能に対していくつかの制限が課された。ランダムアクセス手順に関して、これらの制限は以下を含む：（ｉ）ＲＡ手順はアンカー物理リソースブロック（ＰＲＢ）上で行われる；（ｉｉ）ＵＥが（例えば、スケジューリング要求（ＳＲ）やＰＤＣＣＨ命令に起因して）非アンカーキャリア上にいる間にＲＡ手順を行う必要がある場合、それはＵＬ／ＤＬアンカーキャリアに戻り、ランダムアクセス手順を行う。
【００１０】
さらに、ＲＡＮ２＃９４において、３ＧＰＰ  ＴＳ３６．３２１に関して、ＲＡＣＨの後、ＵＥが非アンカーキャリアに担当されていた場合、ＵＥは以前に該ＵＥを担当していた非アンカーキャリアに戻るという合意がなされた。
【発明の概要】
【００１１】
本明細書のいくつかの実施の形態によると、設定情報は、キャリアの集合のなかのどのキャリアに対して無線デバイスがランダムアクセスを行うべきかを支配し、キャリアの集合がアンカーキャリアとひとつ以上の非アンカーキャリアとを含む。ネットワークノードは、例えば、ネットワークノードが集合内のアンカーキャリアおよび非アンカーキャリアに亘る負荷分散を行うことの一部として、無線デバイスに設定情報を送信してもよい。
【００１２】
より具体的には、本明細書の実施の形態は、無線通信システム内の無線デバイスによって実行される、ランダムアクセスを行うための方法を含む。無線デバイスは、非アンカーキャリア上でのランダムアクセスをサポートする。方法は、キャリアの集合のなかのどのキャリアに対して無線デバイスがランダムアクセスを行うべきかを支配する設定情報を取得することを含み、キャリアの集合がアンカーキャリアと非アンカーキャリアとを含む。ある実施の形態では、設定情報は、集合内のキャリアのうちのひとつ以上のそれぞれに割り当てられた確率値を示す。方法はさらに、設定情報にしたがって、集合のキャリアのなかから、ランダムアクセスを行う対象のキャリアを選択することを含む。方法はまた、選択されたキャリア上でランダムアクセスを実行することを含む。
【００１３】
ある実施の形態では、そのような選択が、設定情報にしたがいキャリアに割り当てられた確率値を用いて、集合内のキャリアからキャリアをランダムに選択することを含む。ある実施の形態では、方法はさらに、設定情報から確率値のうちのひとつ以上を算出することを含んでもよい。
【００１４】
ある実施の形態では、設定情報を取得することが、システム情報報知を介して設定情報を受信することを含む。
【００１５】
これらの実施の形態のいずれかにおいて、選択が、値をランダムに引き、そのランダムに引かれた値を、集合内のキャリアのうちの少なくともひとつに割り当てられた確率値と比較することを含んでもよい。
【００１６】
代替的にまたは追加的に、選択は、集合内の異なるキャリア上の異なるランダムアクセス無線リソースのなかから、ランダムアクセス無線リソースを選択することを含んでもよい。この場合、ランダムアクセスは選択されたランダムアクセス無線リソース上で行われてもよい。
【００１７】
本明細書の実施の形態は、また、無線通信システムにおいて用いられるよう構成されたネットワークノードによって行われる方法を含む。方法は、非アンカーキャリア上でのランダムアクセスをサポートする無線デバイスに対して、キャリアの集合のなかのどのキャリアに対して無線デバイスがランダムアクセスを行うべきかを支配する設定情報を送信することを含む。キャリアの集合がアンカーキャリアとひとつ以上の非アンカーキャリアとを含む。設定情報は、ある実施の形態では、集合内のキャリアのうちのひとつ以上のそれぞれに割り当てられた確率値を示す。
【００１８】
ある実施の形態では、設定情報にしたがって集合内のキャリアに確率値が割り当てられ、その確率値は無線デバイスによって、ランダムアクセスを行う対象のキャリアをランダムに選択する際に用いられる。
【００１９】
ある実施の形態では、設定情報はシステム情報として報知されてもよい。
【００２０】
無線デバイスやネットワークノードによる方法のいずれかにおいて、アンカーキャリアに割り当てられた確率値が非アンカーキャリアに割り当てられた確率値とは異なるように設定可能であってもよい。代替的にまたは追加的に、各非アンカーキャリアに割り当てられた確率値は等しくなるよう設定可能であってもよい。代替的にまたは追加的に、各非アンカーキャリアに割り当てられた確率値は等しくてもよい。
【００２１】
ある実施の形態では、無線デバイスのカバレッジ強化レベルのために、集合内の異なるキャリアに対して異なるランダムアクセス無線リソースが定義される。
【００２２】
ある実施の形態では、集合内のキャリアはアップリンクキャリアである。
【００２３】
ある実施の形態では、無線通信システムは狭帯域物のインターネット化（ＮＢ−ＩｏＴ）システムである。
【００２４】
本明細書の実施の形態はまた、対応する装置、コンピュータプログラムおよびキャリア（例えば、非一時的コンピュータ可読媒体）を含む。
【００２５】
例えば、本明細書の実施の形態はさらに、無線通信システムでランダムアクセスを行うために用いられるよう構成された無線デバイスであって、無線デバイスが非アンカーキャリア上でのランダムアクセスをサポートするよう構成される、無線デバイスを含む。無線デバイスは、キャリアの集合のなかのどのキャリアに対して無線デバイスがランダムアクセスを行うべきかを支配する設定情報を取得するよう構成され、キャリアの集合がアンカーキャリアと非アンカーキャリアとを含む。ある実施の形態では、設定情報は、集合内のキャリアのうちのひとつ以上のそれぞれに割り当てられた確率値を示す。無線デバイスはさらに、設定情報にしたがって、集合のキャリアのなかから、ランダムアクセスを行う対象のキャリアを選択するよう構成される。無線デバイスは、選択されたキャリア上でランダムアクセスを実行するよう構成される。
【００２６】
実施の形態は、また、無線通信システムにおいて用いられるよう構成されたネットワークノードを含む。ネットワークノードは、非アンカーキャリア上でのランダムアクセスをサポートする無線デバイスに対して、キャリアの集合のなかのどのキャリアに対して無線デバイスがランダムアクセスを行うべきかを支配する設定情報を送信するよう構成される。キャリアの集合がアンカーキャリアとひとつ以上の非アンカーキャリアとを含む。設定情報は、ある実施の形態では、集合内のキャリアのうちのひとつ以上のそれぞれに割り当てられた確率値を示す。
【図面の簡単な説明】
【００２７】
【図１】ある実施の形態に係る、無線通信システムのブロック図である。
【図２Ａ】ある実施の形態に係る、ネットワークノードによって行われる方法の論理フロー図である。
【図２Ｂ】ある実施の形態に係る、無線デバイスによって行われる方法の論理フロー図である。
【図３】ある実施の形態に係る、ランダムアクセス用のアップリンクキャリアを含む無線通信システムのブロック図である。
【図４】他の実施の形態に係る、ネットワークノードによって行われる方法の論理フロー図である。
【図５】さらに別の実施の形態に係る、ネットワークノードによって行われる方法の論理フロー図である。
【図６】ある実施の形態に係る、ネットワークノードのブロック図である。
【図７】他の実施の形態に係る、ネットワークノードのブロック図である。
【図８】さらに別の実施の形態に係る、ネットワークノードのブロック図である。
【図９】ある実施の形態に係る、無線デバイスのブロック図である。
【図１０】さらに別の実施の形態に係る、無線デバイスのブロック図である。
【発明を実施するための形態】
【００２８】
図１は、ある実施の形態に係る、無線通信システム１０（例えば、狭帯域物のインターネット化、ＮＢ−ＩｏＴ、システム）を示す。図示のシステム１０は、ネットワークノード１２（例えば、基地局）と、無線デバイス１４Ａ、１４Ｂ（例えば、ユーザ装置、ＵＥ）と、を含む。システム１０はキャリアの集合１６を提供し、サポートしている無線デバイスは、そのキャリアの集合１６の上でシステム１０へのランダムアクセスを行ってもよい（全てまたは部分的に）。集合１６のキャリアは、例えば、アップリンクキャリアであってもよい。無線デバイスは、ランダムアクセス手順の一部として、ネットワークノード１２に向けてひとつ以上のアップリンクメッセージを、そのアップリンクキャリア上で送信する。あるいはまた、集合１６のキャリアは、ダウンリンクキャリアであってもよい。無線デバイスは、ランダムアクセス手順の一部として、ネットワークノード１２からひとつ以上のダウンリンクメッセージを、そのダウンリンクキャリア上で受信する。
【００２９】
しかしながら、集合１６のキャリアがアップリンクであれダウンリンクであれ、図示のキャリアは、アンカーキャリア１８Ａと、ひとつ以上の非アンカーキャリア１８Ｂと、を含む。ＮＢ−ＩｏＴの実施の形態では、例えば、アンカーキャリア１８ＡはＮＢ−ＩｏＴアンカーキャリアであり、非アンカーキャリア１８ＢはＮＢ−ＩｏＴ非アンカーキャリアである。
【００３０】
ある実施の形態では、無線デバイス１４Ａは、キャリアがアンカーキャリア１８Ａであるか非アンカーキャリア１８Ｂであるかに関わらず、集合１６内のキャリアのいずれかの上でランダムアクセスを行うことをサポートしてもよい。すなわち、無線デバイス１４Ａはアンカーキャリア１８Ａ上でのランダムアクセスをサポートし、また、非アンカーキャリア１８Ｂ上でのランダムアクセスをサポートする。しかしながら、無線デバイス１４Ｂは、集合内のアンカーキャリア１８Ａ上でランダムアクセスを行うことをサポートしてもよいが、非アンカーキャリア１８Ｂ上でランダムアクセスを行うことはサポートしない。ＮＢ−ＩｏＴの実施の形態では、例えば、無線デバイス１４ＡはＲｅｌ−１４  ＮＢ−ＩｏＴデバイスであってもよく、無線デバイス１４ＢはＲｅｌ−１３  ＮＢ−ＩｏＴデバイスであってもよい。これらの及び他の実施の形態では、ランダムアクセスがあるキャリア（例えば、アンカーキャリア１４Ａ）上において他のキャリア（例えば、非アンカーキャリア１４Ｂ）よりも多く行われうるので、集合１６内のキャリアに亘って不均衡な負荷がかかる状況となる虞がある。
【００３１】
本明細書のある実施の形態によると、設定情報２０は、キャリアの集合１６のなかのどのキャリアに対して無線デバイス１４Ａがランダムアクセスを行うべきかを支配する。ネットワークノード１２は、例えば、ネットワークノード１２が集合１６内のアンカーキャリア１８Ａおよび非アンカーキャリア１８Ｂに亘る負荷分散を行うことの一部として、無線デバイス１４Ａに設定情報２０を送信してもよい。
【００３２】
図２Ａは、例えば、これに関してネットワークノード１２によって行われる方法１００を示す。方法１００は、キャリアの集合１６のなかのどのキャリアに対して無線デバイス１４Ａがランダムアクセスを行うべきかを支配する設定情報２０を送信すること（ブロック１１０）を含み、無線デバイス１４Ａは非アンカーキャリア１８Ｂ上でのランダムアクセスをサポートする。ある実施の形態では、例えば、ネットワークノード１２は、システム情報として設定情報２０を報知することによって、設定情報２０を送信してもよい。いずれにせよ、ある実施の形態では、方法１００はまた、例えば、キャリアの集合１６に亘る負荷分散を行うことの一部として、設定情報２０を生成すること（ブロック１２０）を含んでもよい。
【００３３】
図２Ｂは、それに対応して無線デバイス１４Ａによって行われる方法２００を示し、その無線デバイス１４Ａはひとつ以上の非アンカーキャリア１８Ｂ上でのランダムアクセスをサポートする。示されるように、方法２００は、キャリアの集合１６のなかのどのキャリアに対して無線デバイス１４Ａがランダムアクセスを行うべきかを支配する設定情報２０を取得すること（ブロック２１０）を含み、これは例えばネットワークノード１２から設定情報２０を受信することによって行われる。方法２００はまた、設定情報２０にしたがって、集合１６のキャリアのなかから、ランダムアクセスを行う対象のキャリアを選択すること（ブロック２２０）を含む。方法はさらに、次いで、選択されたキャリア上でランダムアクセスを実行すること（ブロック２３０）を含んでもよい。
【００３４】
設定情報２０は、さまざまな方法で、キャリアの集合１６のなかのどのキャリアに対して無線デバイス１４Ａがランダムアクセスを行うべきかを支配することができる。一般に、例えば、その情報は、ひとつ以上のキャリアのそれぞれについて、そのキャリア上でどれだけの無線デバイスがランダムアクセスを行うことが許されるかや、または、少なくともどれだけの、非アンカーキャリア上でのランダムアクセスをサポートする無線デバイスがそのキャリア上でランダムアクセスを行うことが許されるかを規定してもよい。
【００３５】
ある実施の形態では、設定情報２０は、無線デバイス１４Ａの識別情報を用いて、これらの方法または他の方法により、ランダムアクセスキャリア選択を支配する。この場合の無線デバイスの選択は、デバイスの識別情報および設定情報２０に基づいて行われてもよい。ある実施の形態では、例えば、設定情報２０は数Ｘを含み、無線デバイス１４Ａはアンカーキャリア１４Ａまたは非アンカーキャリア１４Ｂをそれぞれ以下に依存して選択する。無線デバイスの識別情報が数Ｘで割り切れるか否か。デバイスの識別情報がＸで割り切れない場合、デバイス１４Ａは、集合１６内のＹ個の非アンカーキャリア１４Ｂのなかからある非アンカーキャリアを選択してもよい。例えば、このある非アンカーキャリアは、（ＵＥ＿ＩＤ  ｄｉｖ  Ｘ）  ｍｏｄ  Ｙまたはｆｌｏｏｒ（ＵＥ＿ＩＤ  ／  Ｘ）  ｍｏｄ  Ｙと等しいキャリアインデクスを伴うものであり、ここで、ＵＥ＿ＩＤはデバイスの識別情報である。さらに他の実施の形態では、しかしながら、設定情報２０は、集合１６内のひとつ以上のキャリアのそれぞれについて、そのキャリアに割り当てられたデバイス識別情報ビットマスクを示してもよい。この場合、無線デバイス１４Ａは、無線デバイスの識別情報を入力としてとる関数の出力を計算し、その出力を、設定情報２０によって示されるひとつ以上のデバイス識別情報ビットマスクと比べることによって、ランダムアクセスを行う対象のキャリアを選択してもよい。
【００３６】
さらに他の実施の形態では、設定情報２０はしきい値を示すことによって、ランダムアクセスキャリア選択を支配する。この場合、無線デバイス１４Ａは、指定された値範囲内のランダム値を生成し、そのランダム値をしきい値と比べ、その比較の結果に依存してアンカーキャリアまたは非アンカーキャリアのいずれかを選択することによって、ランダムアクセスを行う対象のキャリアを選択してもよい。
【００３７】
代替的にまたは追加的に、設定情報２０は、図１に示されるように、無線デバイス１４Ａによってランダムに引かれる値との比較のために、集合１６内のキャリアのうちのひとつ以上のそれぞれに割り当てられた確率値２０Ａを示すことによって、ランダムアクセスキャリア選択を支配してもよい。キャリアに割り当てられる確率値は、例えば、ランダムアクセスを行うために無線デバイス１４Ａがそのキャリアを選択する確率を制御または支配してもよい。例えば、ある実施の形態では、無線デバイス１４Ａは、設定情報２０にしたがい各キャリアに割り当てられた確率値を用いて、集合１６のなかから、ランダムアクセスを行う対象のキャリアをランダムに選択するよう構成される。これらおよび他の実施の形態では、無線デバイス１４Ａは、値をランダムに引き、そのランダムに引かれた値を、集合１６内のキャリアのうちの少なくともひとつに割り当てられた確率値と比較してもよい。
【００３８】
確率値が累積確率値である例を考える。この場合、無線デバイス１４Ａは、０と１との間のランダム値を引き、そのランダム値を集合１６内の各キャリアの累積確率値と比較してもよい。例えば、キャリア１の確率値が０．５、キャリア２の確率値が０．７５、キャリア３の確率値が１．０である場合、無線デバイス１４Ａは、ランダム値が０．５以下である場合にはキャリア１を、ランダム値が０．５より大きいが０．７５以下である場合にはキャリア２を、ランダム値が０．７５より大きい場合にはキャリア３を、選択する。
【００３９】
この例が示すように、キャリアのうちの少なくともひとつの確率値は暗黙的に仮定されてもよく（例えば、キャリア３の確率値は１．０）、これはその確率値がシグナルされなくてもよいことを意味する。ある実施の形態では、したがって、無線デバイス１４Ａは、例えば設定情報２０でシグナルされた確率値のうちのひとつ以上の関数として、設定情報２０から確率値のうちのひとつ以上を算出するかそうでなければ決定するよう構成されてもよい。
【００４０】
ある実施の形態では、特定のシグナリングアプローチにかかわらず、アンカーキャリア１８Ａに割り当てられた確率値は非アンカーキャリア１８Ｂに割り当てられた確率値と異なるように設定可能である。実際、ある実施の形態では、集合１６内の各非アンカーキャリアに割り当てられた確率値は等しい（か、少なくとも等しくなるよう設定可能である）。そのような非アンカー確率値が等しい場合、アンカーキャリア１８Ａと各非アンカーキャリア１８Ｂとに異なる確率値を割り当てることで、無線デバイス１４Ａがアンカーキャリア１８Ａ上でランダムアクセスを行うか、または非アンカーキャリアのいずれかでランダムアクセスを行うかを効果的に制御または支配することができる。デバイス１４Ａのそのような管理は、ネットワークノード１２によって、集合１６内のキャリア（またはキャリアのタイプ）に亘る（より均一的な）負荷分散または負荷均衡化の一部として、実行されてもよく、例えば、これは非アンカーキャリア上でのランダムアクセスをサポートする（例えば、Ｒｅｌ−１４）無線デバイスの数と、アンカーキャリア上でのランダムアクセスのみをサポートする（例えば、Ｒｅｌ−１３）無線デバイスの数と、の間の不均衡に起因しうる負荷不均衡に対処するものである。
【００４１】
ある実施の形態では、無線デバイスによる、ランダムアクセスを行う対象のキャリアの選択は、ランダムアクセスを行う対象のランダムアクセス無線リソースの選択の形態をとってもよい。例えば、ある実施の形態では、例えば無線デバイス１４Ａのあるカバレッジ強化レベルのために、集合１６内の異なるキャリアに対して異なるランダムアクセス無線リソースが定義されてもよい。この場合、ランダムアクセスを行う対象のランダムアクセス無線リソースを選択することによって、無線デバイス１４Ａは、実質的に、ランダムアクセスを行う対象のキャリアを選択する。特に、ある実施の形態では、無線デバイス１４Ａは、集合１６内の異なるキャリア上の異なるランダムアクセス無線リソースのなかから、ランダムアクセス無線リソースを選択することによって、ランダムアクセスを行う対象のキャリアを選択し、選択されたランダムアクセス無線リソース上でランダムアクセスを実行することによって、選択されたキャリア上でランダムアクセスを実行する。図３は、集合１６内のキャリアがアップリンクキャリアであるコンテキストにおける一例を示す。
【００４２】
図３に示されるように、ランダムアクセス無線リソース２２−１、２２−２および２２−３はそれぞれアップリンクアンカーキャリア１８Ａ、アップリンク非アンカーキャリア１８Ｂ−１およびアップリンク非アンカーキャリア１８Ｂ−２上で定義される。ランダムアクセス無線リソースは、例えば、その上で無線デバイス１４Ａがランダムアクセスプリアンブルを送信可能な、狭帯域物理ランダムアクセスチャネル（ＮＰＲＡＣＨ）リソース（無線デバイス１４Ａのカバレッジ強化レベルのために定義される）であってもよい。いずれにせよ、図示の無線デバイス１４Ａは、ランダムアクセス無線リソース２２−１、２２−２および２２−３のなかからランダムアクセス無線リソースを選択するために、ランダムアクセスリソース選択２４を行う。無線デバイス１４Ａは、次いで、それに応じて、例えばランダムアクセスプリアンブルを送信することによって、選択されたランダムアクセスリソース上でランダムアクセスを行う。
【００４３】
無線デバイス１４Ａは、集合１６内の各キャリア上で定義されたランダムアクセス無線リソースのなかから選択することによって、ランダムアクセス用のキャリアを実質的に選択し、この場合、設定情報２０は、集合１６内のひとつ以上のキャリアのそれぞれ上で定義されたひとつ以上のランダムアクセス無線リソースのそれぞれに割り当てられた確率値２０Ａを示すことによって、集合１６内のひとつ以上のキャリアのそれぞれに割り当てられた確率値２０Ａを示してもよい。このようにして、ランダムアクセス無線リソースに割り当てられた確率値は、無線デバイス１４Ａがランダムアクセスを行うためにそのランダムアクセス無線リソースを選択する確率を制御または支配してもよく、これにより、無線デバイス１４Ａがそのランダムアクセス無線リソースが定義されるキャリアを選択する確率を実質的に制御または支配することができる。
【００４４】
いずれにせよ、上述の通り、本明細書のある実施の形態は、キャリアの集合１６に亘って、（例えば、ＮＢ−ＩｏＴシステムにおける）ランダムアクセスに起因しうる負荷を分散する。この分散は、例えば、ランダムアクセスの実施について、キャリアの集合１６に亘る無線デバイスの分散を動的に調整することによって行われてもよい。この調整は、例えば、デバイス１４Ａのような無線デバイスのうちの少なくともいくつかを、ひとつ以上の非アンカーキャリア１４Ｂ上でランダムアクセスを行うよう仕向けることを含んでもよく、例えばこれは、非アンカーキャリア１４Ｂ上でのランダムアクセスをサポートしないデバイス１４Ｂのような無線デバイスによるランダムアクセスに起因しうる、アンカーキャリア１４Ａの負荷を軽減するために必要とされうる。
【００４５】
これらのおよび他の実施の形態では、キャリアの集合１６に亘るランダムアクセス負荷の分散は、キャリアの集合に亘るランダムアクセス無線リソースのキャパシティおよび／または集合に亘るそのようなリソースの取り合いに対処するために必要な場合に行われてもよい。例えば、そのようなキャパシティまたは取り合いが集合に亘って不均一に分散している場合、ある実施の形態は、例えばランダムアクセスを行うために集合に亘って無線デバイスを不均一に分散させることによって、集合に亘りランダムアクセス負荷を同様に不均一に分散っせる。
【００４６】
いずれにせよ、ひとつ以上の実施の形態では、非アンカーキャリア上でのランダムアクセスをサポートしないデバイス１４Ｂのような無線デバイス（例えば、Ｒｅｌ−１３  ＵＥ）によってアンカーキャリア上で消費されたランダムアクセス無線リソースに対処するような態様で、分散を行ってもよい。例えば、実際非アンカーキャリア上でのランダムアクセスをサポートするデバイス１４Ａのような無線デバイス（例えば、Ｒｅｌ−１４  ＵＥ）を選択的に仕向けることによって分散を行ってもよく、この場合、非アンカーキャリア上でのランダムアクセスをサポートしない無線デバイスをそのように仕向けることができないという状況において、所望の分散結果を達成することができる。すなわち、非アンカーキャリア上でのランダムアクセスをサポートしないデバイスの制御不能な分散に対処するように、非アンカーキャリア上でのランダムアクセスをサポートするデバイスの分散を制御する。したがって、ある実施の形態では、非アンカーキャリア上でのランダムアクセスのサポートに関する非サポートデバイスとサポートデバイスとの間の不均衡は、キャリアに亘る、非サポートデバイスとサポートデバイスとの不均一な分散を促進する。
【００４７】
より具体的に、図４に示されるように、本明細書の実施の形態は、無線通信システム１０の複数のキャリアに亘って、ランダムアクセスに起因しうる負荷を分散するためにネットワークノード１２によって行われる方法３００を含む。方法３００は、非アンカーキャリア上でのランダムアクセスをサポートしない無線デバイス（例えば、Ｒｅｌ−１３  ＵＥ）が、どの程度、アンカーキャリア上でランダムアクセス無線リソースを取り合うか、および／または非アンカーキャリア上でのランダムアクセスをサポートする無線デバイス（例えば、Ｒｅｌ−１４  ＵＥ）が、どの程度、ひとつ以上の非アンカーキャリアに亘ってでランダムアクセス無線リソースを取り合うか、を決定すること（ブロック３１０）を含む。方法はまた、決定された程度に基づいて、ランダムアクセスを行うために、非アンカーキャリア上でのランダムアクセスをサポートする無線デバイスをキャリアの集合１６に亘って分配すること（ブロック３２０）を含む。
【００４８】
ある実施の形態では、決定（ブロック３１０）は、（ｉ）非アンカーキャリア上でのランダムアクセスをサポートしない無線デバイスの数と、（ｉｉ）単位時間ごとのアンカーキャリア上のランダムアクセス無線リソースの数と、の比を決定することを含んでもよい。追加的にまたは代替的に、決定はさらに、（ｉ）非アンカーキャリア上でのランダムアクセスをサポートする無線デバイスの数と、（ｉｉ）集合１６内のひとつ以上の非アンカーキャリアに亘って足し合わされた単位時間ごとのランダムアクセス無線リソースの総数と、の比を決定することを課してもよい。
【００４９】
ひとつ以上の実施の形態では、方法３００は、非アンカーキャリア上でのランダムアクセスをサポートする無線デバイスのバイアス付き分散を行うことを含み、この場合のバイアスは、ランダムアクセスを行うために、それらの無線デバイスを非アンカーキャリアに分配する方向性のものである。バイアスの程度は、非アンカーキャリア上でのランダムアクセスをサポートしない無線デバイスが、アンカーキャリア上でランダムアクセス無線リソースを取り合う決定された程度に依存してもよい。しかしながら、ある実施の形態では、特定の度合いがなんであれ、決定（ブロック３１０）にしたがい、非アンカーキャリア上でのランダムアクセスをサポートしない無線デバイスがアンカーキャリア上のランダムアクセス無線リソースを取り合う程度が、非アンカーキャリア上でのランダムアクセスをサポートする無線デバイスがひとつ以上の非アンカーキャリアに亘ってランダムアクセス無線リソースを取り合う程度よりも、大きい場合、バイアス付き分散を行ってもよい。
【００５０】
図５は、他の実施の形態に係る、無線通信システム１０における複数のキャリアに亘って、ランダムアクセスに起因しうる負荷を分散する方法４００を示す。示されるように、方法４００は、ランダムアクセスを行うために、キャリアの集合１６に亘って不均一に、無線デバイスを選択的に分配することを含む。（ブロック４１０）
【００５１】
ある実施の形態では、方法４００はまた、キャリアの集合１６に亘るランダムアクセス無線リソースのキャパシティ、および／または、キャリアの集合１６に亘るランダムアクセス無線リソースの取り合い、を決定すること（ブロック４２０）を含んでもよい。選択的な分配は、この決定されたキャパシティおよび／または取り合いに基づいてもよい。例えば、ある実施の形態では、分配は、キャリアの集合１６に亘るランダムアクセス無線リソースの不均一なキャパシティおよび／またはキャリアの集合１６に亘るランダムアクセス無線リソースの不均一な取り合いに比例して、ランダムアクセスを行うために、キャリアの集合１６に亘って不均一に、無線デバイスを分配することを含んでもよい。
【００５２】
代替的にまたは追加的に、ある実施の形態では、分配は、非アンカーキャリア上でのランダムアクセスをサポートしない無線デバイスによってアンカーキャリア上で消費されたランダムアクセス無線リソースに対処するように、非アンカーキャリア上でのランダムアクセスをサポートする無線デバイスを仕向けることを課す。一例として、次いで、分配は、非アンカーキャリア上でのランダムアクセスをサポートする無線デバイスのバイアス付き分散を行うことを含み、この場合のバイアスは、ランダムアクセスを行うために、それらの無線デバイスを非アンカーキャリアに分配する方向性のものである。
【００５３】
さらに、上述と同様に、ある実施の形態では、非アンカーキャリア上でのランダムアクセスをサポートしない無線デバイスがアンカーキャリア上のランダムアクセス無線リソースを取り合う程度が、非アンカーキャリア上でのランダムアクセスをサポートする無線デバイスがひとつ以上の非アンカーキャリアに亘ってランダムアクセス無線リソースを取り合う程度よりも、大きい場合、バイアス付き分散を行ってもよい。そうでなければ、無線デバイスは、ランダムアクセスを行うために、キャリアの集合１６に亘って均等に分散されてもよい。
【００５４】
図４−５の方法３００、４００における分配は、様々な方法でなされうる。ある実施の形態では、例えば、そのような分配は、非アンカーキャリア上でのランダムアクセスをサポートする無線デバイスを、その無線デバイスに割り当てられた識別情報の関数として、無線デバイスによって指定範囲内で生成されるランダム値との比較用に設定されたしきい値の関数として、などで仕向けることを含んでもよい。しかしながら、いずれにせよ、分配は、非アンカーキャリア上でのランダムアクセスをサポートするが情報によって指示されるようにアンカーキャリア上でのランダムアクセスを行うことが許されない無線デバイス、をひとつ以上の非アンカーキャリアのなかで均等に分配することを含んでもよい。
【００５５】
上記を踏まえ、例えばＲＡ試行に関して、キャリアのなかで均等にまたは不均一に、ランダムアクセス（例えば、ＮＰＲＡＣＨアクセス）の負荷を分散するための技術が本明細書に開示される。ある実施の形態では、負荷分散に関するパラメータは、ＮＢ−ＩｏＴセル内でシステム情報上で報知される。
【００５６】
ＮＢ−ＩｏＴシステムにおいてランダムアクセス（ＲＡ）を行うコンテキストで、ひとつ以上の実施の形態を説明する。システムリソースの効率的なリソース利用のために、用語ＲＡは狭帯域物理ランダムアクセスチャネル（ＮＰＲＡＣＨ）リソース選択だけでなく、ＲＡ手順におけるＭｓｇ２−Ｍｓｇ４にも関するべきである。
【００５７】
Ｒｅｌ−１３明細書の結果として、セル内の全てのＲｅｌ−１３ユーザ装置（ＵＥ）はＮＢ−ＩｏＴアンカーキャリア上でランダムアクセス（ＲＡ）手順を行うであろう。ＮＢ−ＩｏＴセルが担当すべきデバイスの数が巨大になることを考慮すると、ランダムアクセス手順をアンカーキャリアのみに制限することは、ＵＥがネットワークに対するアクセスを試行するときのボトルネックシナリオを生じさせるかもしれない。アクセス関連トラフィックの負荷を減らすことができる非アンカーキャリアに関して利用可能なリソースが実際にはあることを考慮すると、マルチキャリア配置では、そのようなボトルネックは不要である。実際、Ｒｅｌ−１４では、非アンカーキャリア上でＲＡを行うことが可能となろう。しかしながら、エアインタフェース上の利用可能なリソース（この場合、アンカーおよび非アンカーキャリア／ＰＲＢ）に亘って均等にＵＥを分散させるという従来の解法は、セル内のＲｅｌ−１３  ＵＥの量とＲｅｌ−１４  ＵＥの量との間に不均衡があると、ＮＢ−ＩｏＴについて最適ではない。
【００５８】
ＲＡ負荷分散の必要性に影響を与える様々なファクタがあり、それらのうちのひとつは、セル内の同じ狭帯域物理ランダムアクセスチャネル（ＮＰＲＡＣＨ）リソースを取り合うＵＥの量である。あるシナリオでは、特定のセル内にＲｅｌ−１３  ＵＥが限られた数だけ存在しうるので、Ｒｅｌ−１４  ＵＥはアンカーキャリアおよび非アンカーキャリアの両方でＲＡを行うことを許可されるべきである。非アンカーキャリア上でＲＡを実行可能なＵＥは、例えばＲＡ試行前のアイドルモードにおいて、そのようなキャリアのＲＡ手順に関する設定について知る必要がある。したがって、そのような設定は少なくともシステム情報報知を介して提供されてもよく、好適にはＲｅｌ−１３アンカーキャリアＲＡ関連設定が存するＳｙｓｔｅｍｌｎｆｏｒｍａｔｉｏｎＢｌｏｃｋＴｙｐｅ２−ＮＢで提供されてもよい。
【００５９】
同じ／同等の量の繰り返しレベルを伴って同じＮＰＲＡＣＨリソースを取り合う、セル内のＲｅｌ−１３  ＵＥの量とＲｅｌ−１４  ＵＥの量とが異なりうるので、そのようなＵＥの不均等分散の必要性がある。言い換えると、ＮＰＲＡＣＨリソースについて同じ／同等のＣＥレベルを担当するセルにおいて、
【数１】
2019525582.tif 000003
（式１）
次いで、Ｒｅｌ−１４  ＵＥは非アンカーキャリア上でＲＡ手順を行うことが好ましい（例えば、Ｒｅｌ−１４  ＵＥは非アンカーキャリア上でのＲＡ手順が促されるよう設定される）。上述の不均一さは取り合い比較と称される。なぜならば、それは、Ｒｅｌ−１３  ＵＥがアンカーキャリア上で単位時間当たりにＲＡリソースを取り合う程度を、Ｒｅｌ−１４  ＵＥが非アンカーキャリア上で単位時間当たりにＲＡリソースを取り合う程度に対して特徴付けるものとして見られ得るからである。ここで、単位時間当たりのリソースは利用可能なサブキャリアの数およびＮＰＲＡＣＨ周期性を含んでもよい。これは、単位時間当たりのＮＰＲＡＣＨを除いても、異なる設定内での異なる周期性によって異なる量のサブキャリアが存しうることを考慮する。同様に、セルに滞在するＲｅｌ−１３  ＵＥの数が少ないとネットワークが推定する場合、ある実施の形態では、Ｒｅｌ−１４  ＵＥのＲＡ手順がアンカーキャリアを含む全てのキャリアに亘って均一に分散するような設定であってもよい。
【００６０】
さらに、アンカーキャリアおよび非アンカーキャリア上で利用可能なＮＰＲＡＣＨリソースの量に依存して、所定のＵＥについてＮＰＲＡＣＨリソース選択基準（例えば、参照信号受信電力、ＲＳＲＰ、しきい値との比較（３ＧＰＰ  Ｒｅｌ−１３  ＴＳ  ３６．３２１による）またはＲｅｌ−１４以降の間に関連するものとなる他の基準）を同時に満たす二つ以上のＮＰＲＡＣＨリソースがあってもよい。そのような場合、ある実施の形態では、ＵＥがＵＥ識別情報（例えば、国際モバイル加入者識別情報（ＩＭＳＩ）またはＳ−ＴＭＳＩ）に基づいて、または、ランダムに、これらのリソースに亘って分配されることが提案される。この不均一分散をいかに行うかについて異なる方法がある。ある実施の形態によると、米国特許仮出願第６２／３７１，３４７号で提供されるもののうちのひとつと同様なアプローチが用いられ、その出願は参照により本明細書に組み入れられる。しかしながら、この課題と比べたときのそこでの違いは、ネットワークとＵＥとの両方がＵＥがどのキャリア／ＰＲＢリソースに割り当てられているかについての同じ理解を有さなければならない点である。ＵＥを異なるＮＰＲＡＣＨリソースに分配する場合、これは不要である。この説明では、負荷を分散するいくつかの他の方法が与えられ、また、いくつかの他の側面がカバーされる。
【００６１】
いくつかの実施の形態は、システム情報（ＳＩ）上で分数値１／Ｋに対応する整数Ｋを報知することによってアンカーと非アンカーとの間の不均一分散を得る。ここで、整数Ｋは、Ｒｅｌ−１４  ＵＥのうちのどれだけがアンカーキャリアＮＰＲＡＣＨを用いるべきであるかの分配を与え、残りのＵＥはＮ個の非アンカーキャリアに亘って均等に分散される。次いで、「ＵＥ＿ＩＤ  ｍｏｄ  Ｋ  ＝＝  ０」を有する全てのＵＥがアンカーキャリアを用い、残りのＵＥは「（ＵＥ＿ＩＤ  ｄｉｖ  Ｋ）  ｍｏｄ  Ｎ」（または等価に「ｆｌｏｏｒ（ＵＥ＿ＩＤ  ／  Ｋ）」）によって非アンカーキャリアに分配される。ここで、その結果は、ＳＩＢ２−ＮＢ上でシグナルされる順番に対応する非アンカーキャリアのインデクスである。この解法を用い、Ｋ＝８を報知し、三つの非アンカーキャリアが所定のＣＥレベルをサポートするとき、Ｒｅｌ−１４  ＵＥ分散は、アンカーキャリア上で１／８＝１２．５％であり、残りは三つの非アンカーキャリアに亘って均等に分散される（すなわち、それぞれの上でのＲｅｌ−１４  ＵＥの総数の〜２９．２％）。
【００６２】
この解法は、二つ以上のキャリアがあるＣＥレベルのＮＰＲＡＣＨリソースを含む場合、分数１／Ｋに対応するオプションの整数値Ｋを（ＳＩＢ２−ＮＢ上で）報知することによって、ＮＰＲＡＣＨリソースの負荷を分散することとしてまとめることができる。もしあれば、「ＵＥ＿ＩＤ  ｍｏｄ  Ｋ  ＝＝  ０」にしたがうＵＥ＿ＩＤを伴うＵＥはアンカーキャリアＮＰＲＡＣＨリソースを選択し、残りのＵＥは「（ＵＥ＿ＩＤ  ｄｉｖ  Ｋ）  ｍｏｄ  Ｎ」にしたがいＮ個の非アンカーキャリアに亘って均等に分散される。その操作の結果は、非アンカーキャリアがＳＩＢ２−ＮＢ上でシグナルされる順番に対するインデクスである。存在しない場合、ＵＥは「ＵＥ＿ＩＤ  ｍｏｄ  （Ｎ＋１）」によりキャリアに亘って均等に分散される。
【００６３】
上記への代替的な解法は、ＵＥの識別情報は用いず、代わりに、全てのＵＥに０と（２ｎ−１）との間のランダム値（乱数）を生成させることである。次いで、同じ範囲のしきい値がシステム情報（ＳＩ）上で報知され、ＵＥによって生成されたランダム値がこのしきい値よりも小さい場合、アンカーが選択され、そうでなければ非アンカーがランダムに選択される。上記と同じ例で、ｎ＝３と設定し、しきい値１が報知されたとする。ＵＥは０と７との間の値を生成し、結果が０であればアンカーが選択される。
【００６４】
他の実施の形態は、非アンカーキャリアについても不均一負荷を提供可能である。これらの実施の形態では、各キャリア（すなわち、アンカーおよび非アンカーの両方）に「確率」値が割り当てられる。ある実施の形態では、これは、各非アンカーキャリアについて例えば以下「１／８、２／８、３／８、４／８、５／８、６／８、７／８、８／８」のうちのひとつをシグナルすることによってなされる。（または、等価に「１／８、１／４、３／８、１／２、５／８、３／４、７／８、１」）アンカーの「確率」値は、１から、セル内の全ての非アンカーキャリアについて「確率」値を足し合わせたものを引いたものである。ＮＰＲＡＣＨアクセスを分散させるためにＵＥ＿ＩＤを用いる代わりに、ＵＥは各ＲＡ試行の前にランダム値を引き、そのランダム値を「確率」値と比較することでどのキャリアを用いるかを決める。これを例で示すために、ＮＢ−ＩｏＴセルが２つの非アンカーキャリアを有し、それらが所定のＣＥレベルでＵＥによって利用可能であるとする。以下の負荷分散が望まれる場合：アンカーキャリア上で１２．５％、非アンカーキャリア１上で３７．５％、非アンカーキャリア２上で５０％、ＳＩ上で以下の値が送信されるべきである：非アンカーキャリア１について３／８、非アンカーキャリア２について４／８。
【００６５】
他の実施の形態におけるさらに別の解法は、以下でｎｐｒａｃｈ−Ｒｅｓｏｕｒｃｅ−ＵＥ−ｌｄ−Ｍａｓｋと称される可変ビット長のオプションのＵＥ識別情報ビットマスクを導入することである。このビットマスクがＮＰＲＡＣＨリソース設定で提供される場合、以下の基準が満たされる場合にＵＥはそのリソースを選択する：ＵＥ＿ＩＤ  ｍｏｄ  ２ｎ  ＝  ｎｐｒａｃｈ−Ｒｅｓｏｕｒｃｅ−ＵＥ−ｌｄ−Ｍａｓｋ、ここで、ｎはｎｐｒａｃｈ−Ｒｅｓｏｕｒｃｅ−ＵＥ−ｌｄ−Ｍａｓｋ内のビット数である。
【００６６】
例えば、オペレータは、その非アンカーキャリア上で同じＣＥレベルを担当する三つのＮＰＲＡＣＨ設定を有すると仮定する。また、ＮＰＲＡＣＨリソースごとにオプションの２ビットｎｐｒａｃｈ−Ｒｅｓｏｕｒｃｅ−ＵＥ−ｌｄ−Ｍａｓｋが以下のように設定されるとする：非アンカーキャリアＮＰＲＡＣＨリソース１についてｎｐｒａｃｈ−Ｒｅｓｏｕｒｃｅ−ＵＥ−ｌｄ−Ｍａｓｋ＝「０１」、非アンカーキャリアＮＰＲＡＣＨリソース２についてｎｐｒａｃｈ−Ｒｅｓｏｕｒｃｅ−ＵＥ−ｌｄ−Ｍａｓｋ＝「１０」、非アンカーＮＰＲＡＣＨリソース３についてなし（ビットマスクは提供されない）。同じＣＥレベルを伴うＵＥのなかで、（ＵＥ＿ＩＤ  ｍｏｄ  ４  ＝  １）を伴うＵＥはリソース１を選択し、（ＩＭＳＩ  ｍｏｄ  ４  ＝  ２）  を伴うＵＥはリソース２を選択し、基準を満たさない残りのＵＥはリソース３を選択する。ＵＥに亘るＵＥ＿ＩＤ桁の一様な分布を仮定すると、この例は、およそ２５％のＵＥがリソース１を選択し、２５％がリソース２を選択し、残りの５０％がリソース３を選択するという結果となる。ここでは三つの非アンカーキャリアが例示されたが、アンカーキャリアと非アンカーキャリアとの混合でも同様である。
【００６７】
ＵＥ識別情報（ＵＥ＿ＩＤ）が負荷分散に用いられる上述の解法では、ＵＥが同じＣＥレベルにある限り同じＮＰＲＡＣＨリソースが選択されるという結果となろう。ひとつのキャリアの負荷が過大であるか、ひとつのキャリアが大きな干渉を経験している場合、これは最良の解法ではなかろう。したがって、ある実施の形態では、ＵＥはキャリアの同じＮＰＲＡＣＨリソースに対して再試行をＸ回までしか行ってはならず、その試行の後は次のＸ回の試行のために別のキャリアを選択するというルールが導入される。今日（Ｒｅｌ−１３について）では、３ＧＰＰ  ＴＳ  ３６．３２１のセクション５．１において、ＵＥは、ＣＥレベルごとの試行回数および総試行回数の両方を追跡しなければならないことが規定されている。このために用いられる変数はそれぞれ、ＰＲＥＡＭＢＬＥ＿ＴＲＡＮＳＭＩＳＳＩＯＮ＿ＣＯＵＮＴＥＲ＿ＣＥおよびＰＲＥＡＭＢＬＥ＿ＴＲＡＮＳＭＩＳＳＩＯＮ＿ＣＯＵＮＴＥＲである。本明細書のある実施の形態では、値Ｘは３ＧＰＰ明細書に明示的に記載されるか、または、システム情報でシグナルされる。また、Ｘの動的変更が指定されてもよい。例えば、初回はキャリアをＸ回使用し、キャリア変更ごとにその後例えばＸ／２ずつ試行回数を減らす（１に達するまで）。
【００６８】
ある実施の形態では、Ｒｅｌ−１４  ＵＥのみがアンカーキャリアから離されてもよい。全てのＲｅｌ−１３  ＵＥはアンカーキャリアのみを用い、非アンカーキャリアにどのようにして行くのか理解しないであろう（それらは規格のＲｅｌ−１４にしたがって実装されていないからである）。
【００６９】
したがって、Ｒｅｌ−１４  ＵＥは均一にまたは不均一に分散されてもよい。無論、セル全体の分散の結果を正確に知る／制御することは困難である。しかしながら、ネットワークが、セル内に、１０００個のＲｅｌ−１３  ＵＥと１０００個のＲｅｌ−１４  ＵＥとが存在していること知っている（または推定している）とする。すると、それがひとつの非アンカーキャリアを有する場合、例えば、それは全てのＲｅｌ−１４  ＵＥがその非アンカーを用いなければならないと制御しうる。これにより、各キャリアにＵＥの５０％が分散する結果となる。代わりに、それがアンカーキャリアにより多くのＮＰＲＡＣＨリソースを割り当てる場合、それは各キャリアにＲｅｌ−１４  ＵＥの５０％を分散させることを望んでもよく、すなわち、アンカーキャリアは１０００＋０．５×１０００＝１５００個のＵＥを有し、非アンカーキャリアは５００個のＵＥを有するであろう。
【００７０】
他の例では、しかしながら、それは非アンカーに、より小さい割合、例えばその２５％、のＲｅｌ−１４  ＵＥを望むかもしれない。この場合、それはアンカーキャリアに２５％、非アンカーキャリアに７５％と、ＵＥを不均一に分散させ、アンカーキャリア上には全体で１２５０個のＵＥがあり、非アンカーキャリア上には７５０個のＵＥがある。より複雑なシナリオでは、より多くの非アンカーを含み、各キャリアが異なるＮＰＲＡＣＨ容量を有してもよい。この場合、ある実施の形態はＵＥを不均一に分散させる。
【００７１】
上述のネットワークノード１２は、任意の機能手段またはユニットを実装することにより、図２、４および／または５の方法および任意の他の本明細書の処理を実行してもよいことを注意しておく。ある実施の形態では、例えば、ネットワークノード１２は、図２、４および／または５に示されるステップを行うよう構成された対応する回路またはサーキトリを含む。この点で、回路またはサーキトリは、所定の機能処理を行うことに特化した回路および／またはメモリと連携するひとつ以上のマイクロプロセッサを備えてもよい。リードオンリメモリ（ＲＯＭ）やランダムアクセスメモリやキャッシュメモリやフラッシュメモリデバイスや光学記録デバイスなどのひとつ以上の種類のメモリを備えてもよいメモリを用いる実施の形態では、メモリは、ひとつ以上のプロセッサによって実行された場合、本明細書で説明される技術を実行するプログラムコードを保持する。
【００７２】
図６は、ひとつ以上の実施の形態にしたがい実装されたネットワークノード１２を示す。図示の通り、ネットワークノード１２は処理回路５１０と通信回路５３０とを含む。通信回路５３０は、例えば任意の通信技術を介して、ひとつ以上の他のノードへおよび／またはから、情報を送信および／または受信するよう構成される。そのような通信は、ネットワークノード５００の内部にあるか外部にあるひとつ以上のアンテナを介して行われてもよい。処理回路５１０は、例えばメモリ５２０に保持されるインストラクションを実行することによって、例えば図２、４および／または５で上述された処理を行うよう構成される。この点で、処理回路５１０は所定の機能手段、ユニットまたはモジュールを実装してもよい。
【００７３】
図７は、ひとつ以上の他の実施の形態にしたがい実装されたネットワークノード１２を示す。図示の通り、ネットワークノード１２は、例えば図６の処理回路５１０を介しておよび／またはソフトウエアコードを介して、種々の機能手段、ユニットまたはモジュールを実装する。例えば図２Ａの方法を実装するための、これらの機能手段、ユニットまたはモジュールは、例えば、キャリアの集合１６のなかのどのキャリアに対して無線デバイス１４Ａがランダムアクセスを行うべきかを支配する設定情報２０を無線デバイス１４Ａに送信するための送信ユニットまたはモジュール５４０を含み、無線デバイス１４Ａは非アンカーキャリア１８Ｂ上でのランダムアクセスをサポートする。このキャリアの集合１６がアンカーキャリア１８Ａとひとつ以上の非アンカーキャリア１８Ｂとを含む。ある実施の形態では、例えば設定情報２０は、集合１６内のキャリアのうちのひとつ以上のそれぞれに割り当てられた確率値を示す。
【００７４】
図８は、ひとつ以上のさらに他の実施の形態にしたがい実装されたネットワークノード１２を示す。図示の通り、ネットワークノード１２は、例えば図６の処理回路５１０を介しておよび／またはソフトウエアコードを介して、種々の機能手段、ユニットまたはモジュールを実装する。例えば図４の方法を実装するための、これらの機能手段、ユニットまたはモジュールは、例えば、非アンカーキャリア上でのランダムアクセスをサポートしない無線デバイスが、どの程度、アンカーキャリア上でランダムアクセス無線リソースを取り合うか、および／または非アンカーキャリア上でのランダムアクセスをサポートする無線デバイスが、どの程度、ひとつ以上の非アンカーキャリアに亘ってでランダムアクセス無線リソースを取り合うか、を決定するための決定ユニットまたはモジュール５５０を含む。また、決定に基づいて、ランダムアクセスを行うために、非アンカーキャリア上でのランダムアクセスをサポートする無線デバイスをアンカーキャリアおよびひとつ以上の非アンカーキャリアに亘って分配する分配ユニットまたはモジュール５６０も含まれる。
【００７５】
上述の無線デバイス１４Ａは、任意の機能手段またはユニットを実装することにより、図２Ｂの方法を行い、本明細書の任意の他の処理を実行してもよいことをさらに注意しておく。ある実施の形態では、例えば、無線デバイスは、図２Ｂに示されるステップを行うよう構成された対応する回路またはサーキトリを含む。この点で、回路またはサーキトリは、所定の機能処理を行うことに特化した回路および／またはメモリと連携するひとつ以上のマイクロプロセッサを備えてもよい。リードオンリメモリ（ＲＯＭ）やランダムアクセスメモリやキャッシュメモリやフラッシュメモリデバイスや光学記録デバイスなどのひとつ以上の種類のメモリを備えてもよいメモリを用いる実施の形態では、メモリは、ひとつ以上のプロセッサによって実行された場合、本明細書で説明される技術を実行するプログラムコードを保持する。
【００７６】
図９は、ひとつ以上の実施の形態にしたがい実装された無線デバイス１４Ａを示す。図示の通り、無線デバイス１４Ａは処理回路６１０と通信回路６３０とを含む。通信回路６３０は、例えば任意の通信技術を介して、ひとつ以上の他のノードへおよび／またはから、情報を送信および／または受信するよう構成される。そのような通信は、無線デバイス１４Ａの内部にあるか外部にあるひとつ以上のアンテナを介して行われてもよい。処理回路６１０は、例えばメモリ６２０に保持されるインストラクションを実行することによって、例えば図２Ｂで上述された処理を行うよう構成される。この点で、処理回路６１０は所定の機能手段、ユニットまたはモジュールを実装してもよい。
【００７７】
図１０は、ひとつ以上の他の実施の形態にしたがい実装された無線デバイス１４Ａを示す。図示の通り、無線デバイス１４Ａは、例えば図９の処理回路６１０を介しておよび／またはソフトウエアコードを介して、種々の機能手段、ユニットまたはモジュールを実装する。例えば図２Ｂの方法を実装するための、これらの機能手段、ユニットまたはモジュールは、例えば、キャリアの集合１６のなかのどのキャリアに対して無線デバイス１４Ａがランダムアクセスを行うべきかを支配する設定情報２０を取得するための取得ユニットまたはモジュール７１０を含み、キャリアの集合１６がアンカーキャリア１８Ａと非アンカーキャリア１８Ｂとを含む。設定情報２０は、ある実施の形態では、集合１６内のキャリアのうちのひとつ以上のそれぞれに割り当てられた確率値を示す。また、設定情報２０にしたがって、集合１６のキャリアのなかから、ランダムアクセスを行う対象のキャリアを選択するための選択ユニットまたはモジュール７２０も含まれる。さらに、選択されたキャリア上でランダムアクセスを実行するためのランダムアクセスユニットまたはモジュール７３０も含まれる。
【００７８】
当業者であれば、本明細書の実施の形態がさらに対応するコンピュータプログラムを含むことを理解するであろう。
【００７９】
コンピュータプログラムはインストラクションを備え、該インストラクションはノードの少なくともひとつのプロセッサによって実行された場合、ノードに上述の処理のいずれかを実行させる。この点で、コンピュータプログラムは、上述の手段またはユニットに対応するひとつ以上のコードモジュールを備えてもよい。
【００８０】
実施の形態はさらに、そのようなコンピュータプログラムを含むキャリアを含む。このキャリアは電気信号、光信号、無線信号、またはコンピュータ可読保持媒体のうちのひとつを含んでもよい。
【００８１】
この点で、本明細書の実施の形態はまた、非一時的コンピュータ可読（保持または記録）媒体に保持されるコンピュータプログラム製品を含み、この製品は、ノードのプロセッサによって実行された場合、ノードに上述のものを行わせるインストラクションを含む。
実施の形態はさらに、コンピュータプログラム製品が計算デバイスによって実行された場合に本明細書の実施の形態のいずれかのステップを実行するためのプログラムコード部分を含むコンピュータプログラム製品を含む。このコンピュータプログラム製品はコンピュータ可読記録媒体に保持されてもよい。
【００８２】
本明細書の無線ノードは、無線信号を介して、他のノードと通信可能な任意のタイプのノード（例えば、無線ネットワークノードや無線デバイス）であることを注意しておく。無線ネットワークノードは、例えば基地局などの、無線通信ネットワーク内の任意のタイプの無線ノードである。ネットワークノードは、無線ネットワークノードであろうとなかろうと、無線通信ネットワーク内の任意のタイプのノードである。無線デバイスは、無線信号を介して、無線ネットワークノードと通信可能な任意のタイプの無線ノードである。したがって、無線デバイスはユーザ装置（ＵＥ）、マシン対マシン（Ｍ２Ｍ）デバイス、マシンタイプ通信（ＭＴＣ）デバイス、ＮＢ−ＩｏＴデバイスなどを指してもよい。しかしながら、ＵＥが必ずしもそのデバイスを所有するおよび／または操作する個人の意味で「ユーザ」を有するものではないことは注意されるべきである。無線デバイスはまた、文脈がそうでないと示すことがない限り、無線デバイス、無線通信デバイス、無線端末、または単に端末と称されてもよく、これらの用語のいずれかの使用は、デバイス対デバイスＵＥまたはデバイス、マシンタイプデバイスまたはマシン対マシン通信可能なデバイス、無線デバイスに備えられたセンサ、無線通信可能テーブルコンピュータ、モバイル端末、スマートフォン、ラップトップ組み込み装置（ＬＥＥ）、ラップトップ設置装置（ＬＭＥ）、ＵＳＢドングル、無線カスタマプレミス装置（ＣＰＥ）などを含むことが意図される。本明細書での議論において、マシン対マシン（Ｍ２Ｍ）デバイス、マシンタイプ通信（ＭＴＣ）デバイス、無線センサ、およびセンサの語が用いられてもよい。これらのデバイスはＵＥであってもよいが、総じて直接的な人間の介入なしにデータを送受信するよう構成されることを理解すべきである。
【００８３】
物のインターネット化（ＩｏＴ）シナリオでは、本明細書で説明される無線デバイスは、監視または測定を行い、そのような監視、測定の結果を他のデバイスまたはネットワークに送信するマシンまたはデバイスであってもよく、またはそのようなマシンまたはデバイスに備えられてもよい。
【００８４】
そのようなマシンの特定の例は、電力計、産業機械、または例えば冷蔵庫やテレビ受像機や時計等の個人携帯物などの個人電化製品である。他のシナリオでは、本明細書で説明される無線通信デバイスは車両に備えられ、車両の動作状態の監視および／または報告を行い、または車両に関連付けられた他の機能を行ってもよい。
【図１】
2019525582.tif 000004
【図２Ａ】
2019525582.tif 000005
【図２Ｂ】
2019525582.tif 000006
【図３】
2019525582.tif 000007
【図４】
2019525582.tif 000008
【図５】
2019525582.tif 000009
【図６】
2019525582.tif 000010
【図７】
2019525582.tif 000011
【図８】
2019525582.tif 000012
【図９】
2019525582.tif 000013
【図１０】
2019525582.tif 000014
【手続補正書】
【提出日】平成30年5月15日(2018.5.15)
【手続補正１】
【補正対象書類名】特許請求の範囲
【補正対象項目名】全文
【補正方法】変更
【補正の内容】
【特許請求の範囲】
【請求項１】
無線通信システム（１０）の無線デバイス（１４Ａ）によって行われる、ランダムアクセスを行うための方法であって、前記無線通信システム（１０）が狭帯域物のインターネット化、ＮＢ−ＩｏＴ、システムであり、前記無線デバイス（１４Ａ）が非アンカーキャリア上でのランダムアクセスをサポートし、前記方法は、
キャリアの集合（１６）のなかのどのキャリアに対して前記無線デバイス（１４Ａ）がランダムアクセスを行うべきかを支配する設定情報（２０）を取得すること（２１０）であって、キャリアの前記集合（１６）がアンカーキャリア（１４Ａ）とひとつ以上の非アンカーキャリア（１４Ｂ）とを含み、前記設定情報（２０）が前記集合（１６）内の前記キャリアのうちのひとつ以上のそれぞれに割り当てられた確率値（２０Ａ）を示す、取得すること（２１０）と、
前記設定情報（２０）にしたがって、前記集合（１６）の前記キャリアのなかから、ランダムアクセスを行う対象のキャリアを選択すること（２２０）と、
前記選択されたキャリア上でランダムアクセスを実行すること（２３０）と、を含む方法。
【請求項２】
前記選択することが、前記設定情報（２０）にしたがい前記キャリアに割り当てられた確率値を用いて、前記集合（１６）内の前記キャリアから前記キャリアをランダムに選択することを含む請求項１に記載の方法。
【請求項３】
前記設定情報（２０）から前記確率値のうちのひとつ以上を算出することをさらに含む請求項２に記載の方法。
【請求項４】
前記取得することが、システム情報報知を介して前記設定情報（２０）を受信することを含む請求項１から３のいずれか一項に記載の方法。
【請求項５】
前記選択することが、値をランダムに引き、そのランダムに引かれた値を、前記集合（１６）内の前記キャリアのうちの少なくともひとつに割り当てられた前記確率値（２０Ａ）と比較することを含む請求項１から４のいずれか一項に記載の方法。
【請求項６】
ランダムアクセスを行う対象のキャリアを選択することが、前記集合（１６）内の異なる前記キャリア上の異なるランダムアクセス無線リソースのなかから、ランダムアクセス無線リソースを選択することを含み、
前記実行することが、前記選択されたランダムアクセス無線リソース上でランダムアクセスを実行することを含む請求項１から５のいずれか一項に記載の方法。
【請求項７】
狭帯域物のインターネット化、ＮＢ−ＩｏＴ、システムである無線通信システム（１０）での用に供されるよう構成されたネットワークノード（１２）によって実行される方法であって、前記方法は、
非アンカーキャリア上でのランダムアクセスをサポートする無線デバイス（１４Ａ）に対して、キャリアの集合（１６）のなかのどのキャリアに対して前記無線デバイス（１４Ａ）がランダムアクセスを行うべきかを支配する設定情報（２０）を送信すること（１１０）であって、キャリアの前記集合（１６）がアンカーキャリア（１４Ａ）とひとつ以上の非アンカーキャリア（１４Ｂ）とを含み、前記設定情報（２０）が前記集合（１６）内の前記キャリアのうちのひとつ以上のそれぞれに割り当てられた確率値（２０Ａ）を示す、送信すること（１１０）、を含む方法。
【請求項８】
前記設定情報（２０）にしたがって前記集合（１６）内のキャリアに確率値が割り当てられ、その確率値は前記無線デバイス（１４Ａ）によって、ランダムアクセスを行う対象のキャリアをランダムに選択する際に用いられる請求項７に記載の方法。
【請求項９】
前記送信することが、システム情報として前記設定情報（２０）を報知することを含む請求項７または８に記載の方法。
【請求項１０】
前記アンカーキャリア（１４Ａ）に割り当てられた確率値（２０Ａ）が非アンカーキャリアに割り当てられた確率値（２０Ａ）とは異なるように設定可能である請求項１から９のいずれか一項に記載の方法。
【請求項１１】
非アンカーキャリア（１４Ｂ）に割り当てられた確率値がそれぞれ等しくなるよう設定可能である請求項１から１０のいずれか一項に記載の方法。
【請求項１２】
非アンカーキャリア（１４Ｂ）に割り当てられた確率値がそれぞれ等しい請求項１から１１のいずれか一項に記載の方法。
【請求項１３】
前記無線デバイス（１４Ａ）のカバレッジ強化レベルのために、前記集合（１６）内の異なるキャリアに対して異なるランダムアクセス無線リソースが定義される請求項１から１２のいずれか一項に記載の方法。
【請求項１４】
前記集合（１６）内の前記キャリアがアップリンクキャリアである請求項１から１３のいずれか一項に記載の方法。
【請求項１５】
無線通信システム（１０）でランダムアクセスを行うために用いられるよう構成された無線デバイス（１４Ａ）であって、前記無線通信システム（１０）が狭帯域物のインターネット化、ＮＢ−ＩｏＴ、システムであり、前記無線デバイス（１４Ａ）が非アンカーキャリア上でのランダムアクセスをサポートし、前記無線デバイス（１４Ａ）は、
キャリアの集合（１６）のなかのどのキャリアに対して前記無線デバイス（１４Ａ）がランダムアクセスを行うべきかを支配する設定情報（２０）を取得することであって、キャリアの前記集合（１６）がアンカーキャリア（１４Ａ）とひとつ以上の非アンカーキャリア（１４Ｂ）とを含み、前記設定情報（２０）が前記集合（１６）内の前記キャリアのうちのひとつ以上のそれぞれに割り当てられた確率値（２０Ａ）を示す、取得することと、
前記設定情報（２０）にしたがって、前記集合（１６）の前記キャリアのなかから、ランダムアクセスを行う対象のキャリアを選択することと、
前記選択されたキャリア上でランダムアクセスを実行することと、を行うよう構成される無線デバイス。
【請求項１６】
請求項２から６、１０から１４のいずれか一項に記載の方法を実行するよう構成された請求項１５に記載の無線デバイス。
【請求項１７】
狭帯域物のインターネット化、ＮＢ−ＩｏＴ、システムである無線通信システム（１０）において用いられるよう構成されたネットワークノード（１２）であって、前記ネットワークノード（１２）は、
非アンカーキャリア上でのランダムアクセスをサポートする無線デバイス（１４Ａ）に対して、キャリアの集合（１６）のなかのどのキャリアに対して前記無線デバイス（１４Ａ）がランダムアクセスを行うべきかを支配する設定情報（２０）を送信することであって、キャリアの前記集合（１６）がアンカーキャリア（１４Ａ）とひとつ以上の非アンカーキャリア（１４Ｂ）とを含み、前記設定情報（２０）が前記集合（１６）内の前記キャリアのうちのひとつ以上のそれぞれに割り当てられた確率値（２０Ａ）を示す、送信すること、を行うよう構成されるネットワークノード。
【請求項１８】
請求項８から１４のいずれか一項に記載の方法を実行するよう構成される請求項１７に記載のネットワークノード。
【請求項１９】
インストラクションを備えるコンピュータプログラムであって、該インストラクションは無線デバイス（１４Ａ）の少なくともひとつのプロセッサによって実行された場合、前記無線デバイス（１４Ａ）に請求項１から６、１０から１４のいずれか一項に記載の方法を実行させるコンピュータプログラム。
【請求項２０】
インストラクションを備えるコンピュータプログラムであって、該インストラクションはネットワークノード（１２）の少なくともひとつのプロセッサによって実行された場合、前記ネットワークノード（１２）に請求項７から１４のいずれか一項に記載の方法を実行させるコンピュータプログラム。
【請求項２１】
請求項１９または２０に記載のコンピュータプログラムを含むキャリアであって、前記キャリアは電気信号、光学信号、無線信号、またはコンピュータ可読ストレージ媒体のうちのひとつであるキャリア。
【手続補正２】
【補正対象書類名】明細書
【補正対象項目名】０００１
【補正方法】削除
【補正の内容】
【手続補正３】
【補正対象書類名】明細書
【補正対象項目名】００１０
【補正方法】変更
【補正の内容】
【００１０】
さらに、ＲＡＮ２＃９４において、３ＧＰＰ  ＴＳ３６．３２１に関して、ＲＡＣＨの後、ＵＥが非アンカーキャリアに担当されていた場合、ＵＥは以前に該ＵＥを担当していた非アンカーキャリアに戻るという合意がなされた。
国際公開第２０１１／０４１９２６号は、ＬＴＥ  Ｒｅｌ−８システムにおけるＲＡＣＨ手順を指向し、生来的な衝突リスクに言及する。目的は、複数コンポーネントキャリア（ＣＣ）無線通信システムにおいてＢＣＨ上でＲＡＣＨ負荷インジケータビットを用いることで、柔軟なＲＡＣＨ負荷分散を達成することである。受信された負荷インジケータビットに基づいて選択可能なランダムアクセスチャネルを伴う複数のコンポーネントキャリアがある。
国際公開第２０１３／０２６１８４号は、マルチキャリア無線通信システムにおけるランダムアクセスチャネルリソース選択に関する。ＵＥは複数のコンポーネントキャリアについての複数の選択確率を受信する。選択確率は、ページングチャネル上のページングメッセージを介して基地局から受信された定量的値である。次いで、複数の選択確率に基づいて、複数のコンポーネントキャリアのうちのあるコンポーネントキャリア上で、ランダムアクセスチャネルリソースが選択される。
国際公開第２０１５／１０８３８２号は、二重接続性における特別なＳＣｅｌｌ選択の取り扱いについてのものであり、特に、無線通信ネットワークにおいて二重接続性モードで動作するＵＥに関する。
【国際調査報告】
2019525582.tif 000015
2019525582.tif 000016